(57)【要約】【課題】薬を処方された患者が簡単に薬の情報を音声で知ることができ、また、薬の飲み忘れ防止や薬を飲んだ後の副作用の発見にも役立つ服薬管理システムを提供する。【解決手段】服薬情報が座標位置コード情報として埋め込まれたドットコードが視覚困難かつ光学読み取り可能に印刷されてなる薬包体と、前記ドットコードを光学的に読み取るための光学的読み取り部と、前記光学的読み取り部によって前記ドットコードが読み取られた際に音声情報を再生する音声情報再生部と、音声を録音して録音データとする録音部と、前記光学的読み取り部によって前記ドットコードが読み取られた際のログ及び録音データを記憶するための記憶部と、を備えたペン型デバイスと、前記ペン型デバイスから前記ログ及び録音データを読み出すためのコンピュータと、を有するようにした。【選択図】図１
2014059854.tif 000002
【特許請求の範囲】
【請求項１】
服薬情報が座標位置コード情報として埋め込まれたドットコードが視覚困難かつ光学読み取り可能に印刷されてなる薬包体と、
前記ドットコードを光学的に読み取るための光学的読み取り部と、前記光学的読み取り部によって前記ドットコードが読み取られた際に音声情報を再生する音声情報再生部と、音声を録音して録音データとする録音部と、前記光学的読み取り部によって前記ドットコードが読み取られた際のログ及び録音データを記憶するための記憶部と、
を備えたペン型デバイスと、
前記ペン型デバイスから前記ログ及び録音データを読み出すためのコンピュータと、
を有することを特徴とする服薬管理システム。
【請求項２】
前記ペン型デバイスを前記薬包体に当接せしめると前記光学的読み取り部によって前記ドットコードが読み取られて、前記音声情報が再生され、且つ前記ドットコードが読み取られた際のログが記憶せしめられ、前記ペン型デバイスに向かって患者が話すと録音されて前記ペン型デバイスに前記録音データとして記憶され、
病院側に設置された前記コンピュータで前記ペン型デバイスから前記ログ及び録音データを読み出すことにより、病院側が服薬管理をできるようにしたことを特徴とする請求項１記載の服薬管理システム。
【請求項３】
前記薬包体が、錠剤パッケージ、薬袋、分包紙、水剤容器、オブラートフィルム、又はカプセルであることを特徴とする請求項１又は２記載の服薬管理システム。
【請求項４】
前記薬包体が、ラベル付き薬包体であり、前記ラベル付き薬包体のラベルにドットコードが視覚困難かつ光学読み取り可能に印刷されてなることを特徴とする請求項１〜３いずれか１項記載の服薬管理システム。
【請求項５】
前記ペン型デバイスが時計機能を有し、前記ペン型デバイスを前記薬包体に当接せずとも、所定の時間が経過すると、薬を飲む時間であることを音声で知らせることを特徴とする請求項１〜４いずれか１項記載の服薬管理システム。
【請求項６】
前記薬を飲む時間であることを音声で知らせることが複数回行われると、患者が服薬しなかったものとして記録されることを特徴とする請求項５記載の服薬管理システム。
【請求項７】
前記薬包体に包まれる薬が、治験薬であることを特徴とする請求項１〜６いずれか１項記載の服薬管理システム。
【発明の詳細な説明】
【技術分野】
【０００１】
本発明は、ドット状のコードを用いた服薬管理システムに関し、薬を処方された患者が、薬の情報を音声で知ることができ、また、薬の飲み忘れ防止や薬を飲んだ後の副作用の発見にも役立つ服薬管理システムに関する。
【背景技術】
【０００２】
病院などで処方される薬は、様々な種類の薬がある。そして、処方された薬が一種類であり、服用期間が２〜３日程度と短期間であれば、薬を飲み忘れることは比較的少ない。しかし、服用期間が１週間以上に亘って複数の種類を飲み続けるような場合には、その薬の飲み方などを忘れてしまったり、薬を飲んだか飲んでいないかを忘れてしまったり、薬を間違えて飲んでしまったり、することがある。
【０００３】
薬によっては、決められた用法・用量を守って飲まないと、薬の効き目が全くなかったり、逆に薬が効き過ぎたり、或いは重大な副作用が出たりすることがある。また、薬によっては間違えた飲み方をすると命に関わる場合もある。
【０００４】
しかしながら、病院などで薬を処方しても、服薬については、患者まかせとなっており、医師などが、患者の服薬状況を知るためには、自己申告してもらうしかないのが現状である。
【０００５】
例えば、特許文献１には、患者が処方された薬剤を確実に且つ安全に服用するための携帯端末を用いた服薬管理システムが開示されている。
【０００６】
しかし、携帯電話やスマートフォンといった携帯端末は、特に高齢者の方には操作が難しく感じるものが多く、また、特許文献１のようにウェブ通信を介して情報を送信したりすると、服薬情報などは高度な個人情報に関するものであるため、セキュリティを気にする方も多い。
【０００７】
一方、従来、情報データを含む光学的に読み取り可能なコードを印刷し、これを光学的に読み取ることで、情報を表示させる種々の技術が知られている。
【０００８】
例えば、特許文献２では、種々のマルチメディア情報を認識させるためにドットコード生成アルゴリズムにより生成されたドットを所定の規則に則って配列したドットパターン部が形成された印刷物等の媒体を読取り手段で画像データとして読み取り、該画像データをコードデータ化し、該コードデータに対応したマルチメディア情報を記憶手段から読み出して再生するようにした、媒体上に形成されたアイコンが提案されている。
【先行技術文献】
【特許文献】
【０００９】
【特許文献１】特開２０１０−１５８４７８号公報
【特許文献２】特開２００６−１９０２７０号公報
【特許文献３】特許４０８８９３６号公報
【特許文献４】特許３７０６３８５号公報
【特許文献５】特許４００８９５２号公報
【特許文献６】ＷＯ２０１０／０１８６８７号公報
【発明の概要】
【発明が解決しようとする課題】
【００１０】
本発明は、上記した従来技術の問題点に鑑みなされたもので、薬を処方された患者が簡単に薬の情報を音声で知ることができ、また、薬の飲み忘れ防止や薬を飲んだ後の副作用の発見にも役立つ服薬管理システムを提供することを目的とする。
【課題を解決するための手段】
【００１１】
上記課題を解決するため、本発明の服薬管理システムは、服薬情報が座標位置コード情報として埋め込まれたドットコードが視覚困難かつ光学読み取り可能に印刷されてなる薬包体と、前記座標位置コード情報を光学的に読み取るための光学的読み取り部と、前記光学的読み取り部によって前記座標位置コード情報が読み取られた際に音声情報を再生する音声情報再生部と、音声を録音して録音データとする録音部と、前記光学的読み取り部によって前記座標位置コード情報が読み取られた際のログ及び録音データを記憶するための記憶部と、を備えたペン型デバイスと、前記ペン型デバイスから前記ログ及び録音データを読み出すためのコンピュータと、を有することを特徴とする。
【００１２】
ログとしては、ドットコードをペン型デバイスで読み取った日時を服薬日時として記録したりすることができる。
【００１３】
また、録音データは、患者が相談したいことを録音することで、作成される。患者が相談したいこととしては、薬に関する疑問や質問は勿論、服用後の体調の変化などもペン型デバイスに話すことで録音される。
【００１４】
このようにすれば、患者がペン型デバイスを使って薬包体上のドットコードを読み取ることで、薬の種類や名称、服薬時間や用法・用量などの服薬情報を音声で知ることができ、後日病院や薬局に前記ペン型デバイスを持っていって、前記ペン型デバイスに記憶させた情報を病院や薬局のコンピュータで読み出すことで、薬の飲み忘れ防止や薬を飲んだ後の副作用の発見にも役立つ服薬管理システムとなる。
【００１５】
前記記憶部としては、フラッシュメモリなどの不揮発性半導体メモリなどが使用できる。前記記憶部としてのフラッシュメモリは、前記ペン型デバイスから着脱自在に構成してもよい。
【００１６】
また、ペン型デバイスを操作が簡単で持ち運び可能なメモリとして使用できるので、携帯電話やスマートフォンなどが苦手の方でも簡単に操作でき、また、ウェブ通信を介して情報を送信したりしないためセキュリティ性にも優れるという利点がある。
【００１７】
また、本発明の服薬管理システムは、前記ペン型デバイスを前記薬包体に当接せしめると前記光学的読み取り部によって前記座標位置コード情報が読み取られて、前記音声情報が再生され、且つ前記座標位置コード情報が読み取られた際のログが記憶せしめられ、前記ペン型デバイスに向かって患者が話すと前記ペン型デバイスに前記録音データとして記憶され、病院側に設置された前記コンピュータで前記ペン型デバイスから前記ログ及び録音データを読み出すことにより、病院側が服薬管理をできるようにするのが好適である。
【００１８】
前記薬包体が、錠剤パッケージ、薬袋、分包紙、水剤容器、オブラートフィルム、又はカプセルであるのが好ましい。錠剤パッケージとしては、裏面側フィルムが金属箔、例えばアルミ箔、表面側フィルムがプラスチックフィルムで錠剤又はカプセル等を包装した錠剤パッケージ［ＰＴＰ（Ｐｕｓｈ Ｔｈｒｏｕｇｈ Ｐａｃｋａｇｅ）包装といわれることもある］が好ましい。
【００１９】
前記薬包体が、錠剤パッケージである場合には、錠剤を封入したパッケージの裏面側フィルムや表面側フィルムの各区画毎にドットコードを印刷してもよいし、錠剤パッケージの裏面側フィルム全域や表面側フィルム全面に亘って一つのドットコードを印刷するようにしてもよい。
【００２０】
また、前記薬包体が、ラベル付き薬包体であり、前記ラベル付き薬包体のラベルにドットコードが視覚困難かつ光学読み取り可能に印刷されてなるようにしてもよい。すなわち、薬包体自体にドットコードを印刷するのではなく、ドットコードが印刷されたラベルを薬包体に付するようにすればよい。ラベルを薬包体に付するにあたっては、ラベルを薬包体に接着させたりや貼付したりするほか、ホッチキスでラベルを薬包体にとめたりしてもよい。このように、ラベルが薬包体に付されている限り、本発明の範疇に含まれる。
【００２１】
また、前記ペン型デバイスが時計機能を有し、前記ペン型デバイスを前記薬包体に当接せずとも、所定の時間が経過すると、薬を飲む時間であることを音声で知らせるようにすることが好適である。
【００２２】
さらに、前記薬を飲む時間であることを音声で知らせることが複数回行われると、患者が服薬しなかったものとして記録されるようにすることが好適である。例えば、前記薬を飲む時間であることを音声で知らせることが３回行われたら、患者が服薬しなかったものとしてログが記憶部に記録されるようにすればよい。
【００２３】
前記薬包体に包まれる薬が、治験薬であるのが好ましい。治験薬の場合には、副作用の有無や服薬後の症状など、患者からのフィードバックが大事であるためである。
【００２４】
さらに、前記ドットコードがグラビア印刷により前記パッケージに印刷されてなるのが好ましい。グラビア印刷であれば、高精細なドットコードの印刷が可能となるからである。前記グラビア印刷に用いられるグラビア版としては、レーザー製版法により作製するのが好ましい。高精細な微小ドットコードを印刷できるからである。
【００２５】
前記座標位置コード情報を有するドットコードを視覚困難かつ光学読み取り可能に印刷するには、公知の種々のドットコードが適用できるが、例えば特許文献４に記載されたドットコードを用いればよい。また、赤外線又は紫外線のみを吸収する赤外線又は紫外線吸収インクを用いてドットコードを印刷すれば、人間には目視できない不可視のドットコードとなる。また、カーボンブラックを含有するインクの場合には微小のドットコードとすることで、視覚困難となる。
【００２６】
このように、視覚困難かつ光学読み取り可能にドットコードを印刷することで、人間には目視困難であるため、パッケージ表面の文字や絵などを邪魔することがないという利点がある。
【００２７】
前記ドットコードを印刷するインクとしては、赤外線吸収インク又は紫外線吸収インクが好ましい。ここでいう赤外線吸収インクとは、可視光は吸収せず、赤外線を吸収するインクを指し、紫外線吸収インクとは、可視光は吸収せず、紫外線を吸収するインクを指す。これらインクの例としては、例えば、特許文献３に開示されたインクを使用することができる。また、カーボンブラック含有インクが好適に使用できる。
【００２８】
前記ドットコードとしては、微小なドットの形成位置情報を最小単位のコードとしてこれを所定数組み合わせたものとして、特許文献４に記載されたドットコード技術を適用することができる。グラビア印刷でドットコードを印刷すれば、高精細であり、フレキシブルな透明フィルムなどにも印刷することができるという利点がある。
【００２９】
また、光学的読み取り部としては、赤外線又は紫外線に反応する光学的読み取り手段を使用することができ、特許文献５に記載されたドットコード読取ユニットを使用することができる。
【発明の効果】
【００３０】
本発明の服薬管理システムによれば、薬を処方された患者が簡単に薬の情報を音声で知ることができ、また、薬の飲み忘れ防止や薬を飲んだ後の副作用の発見にも役立つ服薬管理システムを提供することができるという著大な効果を奏する。
【図面の簡単な説明】
【００３１】
【図１】本発明に係る服薬管理システムの一つの実施の形態を概念的に示す概略説明図である。
【図２】錠剤パッケージの裏面側フィルムの一つの区画を切り離した状態の分解斜視図である。
【図３】病院や薬局のコンピュータ上に表示された服薬管理画面の一例を示す。
【図４】本発明に係る服薬管理システムを用いて服薬管理を行う場合の流れを示すフローチャートである。
【図５】ラベル付き薬包体のラベルにドットコードを視覚困難かつ光学読み取り可能に印刷した一例を示す斜視概略図である。
【図６】図５のラベル付き薬包体の裏面側を示す斜視概略図である。
【発明を実施するための形態】
【００３２】
以下に本発明の実施の形態を説明するが、これら実施の形態は例示的に示されるもので、本発明の技術思想から逸脱しない限り種々の変形が可能なことはいうまでもない。
【００３３】
図１において、符号１０は本発明に係る服薬管理システムを示す。服薬管理システム１０は、服薬情報が座標位置コード情報として埋め込まれたドットコード１２が視覚困難かつ光学読み取り可能に印刷されてなる薬包体１４と、前記ドットコード１２を光学的に読み取るための光学的読み取り部１６と、前記光学的読み取り部１６によって前記ドットコード１２が読み取られた際に音声情報を再生する音声情報再生部１８と、音声を録音して録音データとする録音部１９と、前記光学的読み取り部１６によって前記ドットコード１２が読み取られた際のログ及び録音データを記憶するための記憶部２０と、を備えたペン型デバイス２２と、  前記ペン型デバイス２２から前記ログ及び録音データを読み出すためのコンピュータ２４と、を有する。
【００３４】
符号５０はペン型デバイス２２を操作する患者の手を示し、符号５２は、コンピュータ２４を操作する医師を示す。また、薬包体１４としては、ＰＴＰ包装の錠剤パッケージの例を示した。
【００３５】
服薬情報としては、薬の種類、名称、服薬時間や用法・用量が座標位置コード情報として埋め込まれており、記憶部２０に記憶されている関連音声情報を呼び出すことができる。また、記憶部２０としては、ペン型デバイス２２に内蔵されたフラッシュメモリを用いた。ドットコード１２は、視覚困難かつ光学読み取り可能に薬包体１４にグラビア印刷されている。図示例では、図２によく示される如く、特許文献６に記載されているように、裏面側フィルム２６の被印刷フィルム２８の裏面にグラビア印刷により印刷され、前記ドットコード１２が、前記裏面側フィルム２６の表側から光学的読み取り部１６で前記被印刷フィルム２８を介して読み取られるように、ドットコード１２の座標系が前記裏面側フィルム２６の表側から見た座標系に対して反転して印刷した例を示した。但し、被印刷フィルム２８の表面に通常印刷する構成とすることも可能である。
【００３６】
前記光学的読み取り部１６は、公知の種々のスキャナを使用できるが、例えば特許文献５に記載されたドットコード読取ユニットを使用することができる。また、図示例では、前記音声情報再生部１８はスピーカであり、音声を録音して録音データとする録音部１９はマイクである。
【００３７】
服薬情報が座標位置コード情報として埋め込まれたドットコード１２としては、微小なドットの形成位置情報を最小単位のコードとしてこれを所定数組み合わせたものとして、特許文献４に記載されたドットパターン技術を適用することができる。
【００３８】
特許文献４に記載されたドットパターン技術としては、特許文献６にも示されるように、キードット、情報ドット、格子ドットを所定の規則に従って配列する。所定の規則については特許文献４に記載されているため詳細は省略する。特許文献４では、キードットを中心に５×５の格子ドットを配置し、４点の格子ドットに囲まれた中心の仮想点の周囲に情報ドットを配置して、情報を表すドットパターンのブロックとしている。このブロックには任意の数値情報が定義される。そして、ドットパターンを特許文献６に示すような光学的読み取りデバイスで読み込み、格子ドットを抽出し、次に本来格子ドットがある位置にドットが打たれていないことによってキードットを抽出し、次に情報ドットを抽出することによりデジタル化して情報領域を抽出して情報の数値化を図り、その数値情報より、このドットパターンから情報を出力させる。
【００３９】
そして、前記ペン型デバイス２２を前記薬包体１４に当接せしめると前記光学的読み取り部１６によって前記ドットコード１２が読み取られて、前記音声情報が再生され、且つ前記ドットコード１２が読み取られた際のログが記憶せしめられ、前記ペン型デバイス２２のマイク１９に向かって患者が話すとそれが録音されて前記ペン型デバイス２２に前記録音データとして記憶され、病院側に設置された前記コンピュータ２４で前記ペン型デバイス２２から前記ログ及び録音データを読み出すことにより、病院側が服薬管理をできるようにされている。
【００４０】
再生される音声情報としては、上記した薬の種類、名称、服薬時間や用法・用量などの服薬情報の他、患者の体調などを聞くようにしてもよい。
【００４１】
ログとしては、そのドットコード１２を読み取った日時を服薬日時として記録したりすることができる。なお、ペン型デバイス２２には時計機能が備わっている。なお、符号４６，４８はペン型デバイス２２の操作ボタンである。
【００４２】
また、前記ペン型デバイスを前記薬包体に当接せずとも、所定の時間が経過すると、薬を飲む時間であることを音声で知らせるように構成されている。
【００４３】
さらに、前記薬を飲む時間であることを音声で知らせることが複数回行われると、患者が服薬しなかったものとして記録されるようにされている。例えば、前記薬を飲む時間であることを音声で知らせることが３回行われたら、患者が服薬しなかったものとしてログが記憶部に記録されるように設定することができる。
【００４４】
また、録音データは、患者が相談したいことを録音することで、作成される。患者が相談したいこととしては、薬に関する疑問や質問は勿論、服用後の体調の変化などもペン型デバイスに話すことで録音される
【００４５】
前記薬包体１４としては、図示した錠剤パッケージの他、薬袋、分包紙、水剤容器、オブラートフィルム、又はカプセルなどにも適用可能である。
【００４６】
前記薬包体１４に包まれる薬としては、通常、病院などで処方される薬の他、治験薬などでもよい。本発明に係る服薬管理システムでは、副作用の有無や服薬後の症状など、患者からのフィードバックを容易に得ることが可能であるため、特に治験薬に適している。
【００４７】
病院や薬局のコンピュータ２４上に表示された服薬管理画面を図３に示す。
【００４８】
服薬管理画面３２は、服薬管理ソフトウェアによってコンピュータ２４上に表示されている。服薬管理画面３２において、符号３４は、患者の写真、氏名や生年月日などを表示した個人情報欄である。また、個人情報欄３４とともに何日の何時に幾つ飲んだかといった服薬に関する情報が表示される服薬管理欄３６も表示される。
【００４９】
次に、図１に示した本発明に係る服薬管理システム１０につき、図４のフローチャートに基づいて説明する。
【００５０】
まず、図１に示すように、服薬情報が埋め込まれたドットコード１２を薬包体１４に印刷しておく（図４のステップ１００）。そして、このドットコード１２が印刷された薬包体１４を患者に処方する。
【００５１】
患者が、ペン型デバイス２２を薬包体１４のドットコード１２にタッチすると（図４のステップ１０２）、光学的読み取り部１６によってドットコード１２が読み取られて、服薬情報が音声で再生される（図４のステップ１０４）。例えば、最初に「この薬は胃酸を抑える効果のある薬です。毎日３回食前に飲んで下さい。」などのメッセージが流れる。そして、このタッチにより、ログをとって、服薬したとみなす。したがって、例えば、最初のタッチでは、服薬情報だけを音声で流して、２回目のタッチでログをとって、服薬したものとみなす、といったことも勿論可能である。
【００５２】
ドットコード１２が読み取られた際のログは前記ペン型デバイス２２の記憶部２０に記憶せしめられる（図４のステップ１０６）。このようにして、患者は、薬を服用する際に毎回ペン型デバイス２２を薬包体１４のドットコード１２にタッチする。また、ペン型デバイス２２のマイク１９に向かって患者が話すとそれが録音されて前記ペン型デバイス２２に前記録音データとして記憶される（図４のステップ１０６）。
【００５３】
そして、患者は次の診療の際に病院に前記ペン型デバイス２２を持って行く。そして、病院側に設置された前記コンピュータ２４に前記ペン型デバイス２２を接続し、前記ペン型デバイス２２から前記ログ及び録音データを読み出すことにより、図３に示すように、前記コンピュータ２４上に患者の服薬記録などが出力される。さらに、録音データも出力されるので、薬を飲んだ後の症状や相談したいことなどが、すぐにわかる。このようにして、病院側が服薬管理をできるようにされている。
【００５４】
このように、本発明ではペン型デバイス２２をメモリとして使うため、携帯電話やスマートフォンなどの携帯端末を使わないで、患者からの生の音声データをシンプルに得ることが出来る。そして、服薬情報が音声で再生されるため、どの薬を何個飲めば良いかなどがわかり、患者が安心感が得られる利点がある。また、治験薬の場合には、副作用の有無や服薬後の症状など、患者からのフィードバックが大事であるが、患者からの生の音声データを簡便に得ることが出来るという利点もある。
【００５５】
次に、薬包体が、ラベル付き薬包体であり、前記ラベル付き薬包体のラベルにドットコードが視覚困難かつ光学読み取り可能に印刷した例を図５及び図６に示す。
【００５６】
図５及び図６において、符号５４は本発明に係る服薬管理システムに用いられるラベル付き薬包体を示す。ラベル付き薬包体５４は、ドットコード５６が視覚困難かつ光学読み取り可能に印刷されたラベル５８が薬包体６０に付されている。図示の例では、ラベル５８を薬包体６０に付するにあたっては、ラベル５８を薬包体６０に接着させた例を示した。薬包体６０としては、ＰＴＰ包装の錠剤パッケージの例を示した。ラベルが薬包体に付されている限りラベル付き薬包体として用いることができるので、ラベルを薬包体に接着や貼付したりするほか、ホッチキスでラベルを薬包体にとめたりしてもよい。
【００５７】
そして、図５及び図６の例では、ラベル５８には、薬情報欄６２，６４，６６，６８が設けられている。図５及び図６の例では、薬情報欄６２，６８には、患者の氏名などを記載したり、薬情報欄６４には薬の説明を記載したり、薬情報欄６６には、服薬情報を記載したりした例を示した。これらはあくまでも図示例であり、実際の処方箋や患者に合わせて、様々な情報を記載したり、ドットコードを印刷するようにすればよい。
【００５８】
そして、上述したペン型デバイス２２でドットコード５６を読み取ると、服薬情報が音声で再生されたり、ログがとられて、それにより服薬したとみなされる。
【００５９】
ドットコード５６が読み取られた際のログは前記ペン型デバイス２２の記憶部２０に記憶せしめられる。このようにして、患者は、薬を服用する際に毎回ペン型デバイス２２をラベル付き薬包体５４のドットコード５６にタッチする。また、ペン型デバイス２２のマイク１９に向かって患者が話すとそれが録音されて前記ペン型デバイス２２に前記録音データとして記憶される。
【００６０】
そして、患者は次の診療の際に病院に前記ペン型デバイス２２を持って行く。そして、上述したように、病院側に設置された前記コンピュータ２４に前記ペン型デバイス２２を接続し、前記ペン型デバイス２２から前記ログ及び録音データを読み出すことにより、図３に示すように、前記コンピュータ２４上に患者の服薬記録などが出力される。さらに、録音データも出力されるので、薬を飲んだ後の症状や相談したいことなどが、すぐにわかる。このようにして、病院側が服薬管理をできるようにされている。
【符号の説明】
【００６１】
１０：服薬管理システム、１２，５６：ドットコード、１４，６０：薬包体、１６：光学的読み取り部、１８：音声情報再生部、１９：録音部、２０：記憶部、２２：ペン型デバイス、２４：コンピュータ、２６：裏面側フィルム、２８：被印刷フィルム、３２：服薬管理画面、３４：個人情報欄、３６：服薬管理欄、４６，４８：操作ボタン、５０：患者の手、５２：医師、５４：ラベル付き薬包体、５８：ラベル、６２，６４，６６，６８：薬情報欄。
【図１】
2014059854.tif 000003
【図２】
2014059854.tif 000004
【図３】
2014059854.tif 000005
【図４】
2014059854.tif 000006
【図５】
2014059854.tif 000007
【図６】
2014059854.tif 000008